(57)【要約】      （修正有）【課題】多数のファイル又はフォルダのなかから、自動付与機能によって自動付与された名前を持つファイル又はフォルダを容易に識別できるようにする。【解決手段】記憶装置には複数のファイルが記憶されており、各ファイルには固有の名前が与えられる。記憶装置に記憶されたファイル群は、ファイル名に使用可能な全ての文字の順序関係を定義したソートルールに従い、名前順でソートされる。新規にファイルを作成するときに、該新規作成されるファイルに対して、該ソートルールによって全ての文字の順序関係の先頭又は末尾に定義された文字を先頭に持つ名前を、自動的に付与する（ステップＳ２、Ｓ４又はＳ７）。【選択図】図３
2008293086.tif 000002
【特許請求の範囲】
【請求項１】
データ集合体を格納するためのファイルと、該ファイルを複数個まとめて保管するためのフォルダとをそれぞれ１又は複数記憶し、前記ファイル及び前記フォルダの各々には固有の名前が与えられている記憶手段と、
前記ファイル及び前記フォルダの名前に使用可能な全ての文字の順序関係を定義したソートルールに従い、前記記憶手段に記憶されたファイル群又はフォルダ群を名前順でソートするソート手段と、
前記記憶手段にファイル又はフォルダを新規に作成する作成手段と、
前記作成手段により新規に作成したファイル又はフォルダに対して、前記ソートルールによって前記全ての文字の順序関係の先頭又は末尾に定義された文字を先頭に持つ名前を、自動的に付与する付与手段と
を具えることを特徴とするファイル又はフォルダ管理装置。
【請求項２】
データ集合体を格納するためのファイルと、該ファイルを複数個まとめて保管するためのフォルダとをそれぞれ１又は複数記憶した記憶手段であって、前記ファイル及び前記フォルダの各々には固有の名前が与えられており、該記憶手段に記憶されたファイル群又はフォルダ群を、前記ファイル及び前記フォルダの名前に使用可能な全ての文字の順序関係を定義したソートルールに従い、名前順でソートする機能を具えたコンピュータに、
前記記憶手段にファイル又はフォルダを新規に作成する手順と、
前記新規に作成したファイル又はフォルダに対して、前記ソートルールによって前記全ての文字の順序関係の先頭又は末尾に定義された文字を先頭に持つ名前を、自動的に付与する手順と
を実行させるプログラム。
【発明の詳細な説明】
【技術分野】
【０００１】
この発明は、ファイル又はフォルダを新規作成するときに、その名前を自動付与する機能を具えたファイル又はフォルダ管理装置であって、特に電子楽器等の電子音楽装置において楽曲データのデータファイルを作成する際のファイル名自動付与機能に関する。
【背景技術】
【０００２】
従来から、電子楽器等の電子音楽装置において、新規にデータファイルが作成されるときに、該新規に作成するファイルに対してシステムが自動的にファイル名を付与する技術が知られている。例えば、下記特許文献１に記載の装置においては、オーディオデータを録音する際に、新規に作成されるファイルに対して所定の文字列（例えば「Ｓｏｎｇ」等）と番号ｎから成るファイル名が自動付与され、更に、該自動付与されたファイル名を持つファイルに別のオーディオデータを重ねて録音（オーバーダビング）すると、元になったファイルのバックアップファイルが自動的に作成され、該バックアップファイルに対して元のファイル名の末尾に別の所定の文字列「Ｂｎ」を付与したファイル名が自動的に作成されていた。ここで、ファイル名に含まれる「ｎ」は正の整数であって、オーディオデータを新規に録音する毎に、ファイルの作成順を表す番号を持つファイル名（「Ｓｏｎｇ１」、「Ｓｏｎｇ２」・・・）が自動的に作成され、また、ファイル名「Ｓｏｎｇ１」のバックアップファイルについては、バックアップの世代順を示す番号を持つファイル名「Ｓｏｎｇ１＿Ｂ１」、「Ｓｏｎｇ１＿Ｂ２」・・・が自動付与されていた。このような命名方法によれば、自動付与されたファイル名の文字列部分に「Ｓｏｎｇ」という語を置くことで、当該ファイルが楽曲に関するデータを持つファイルであるということを標示することができ、また、数字部分からファイルの作成順やバックアップの世代順序を直感的に理解できるというメリットがあった。
【特許文献１】特開２００４−１５７２６０号公報
【０００３】
電子音楽装置において、新規にファイルを作成するときの大まかな手順は、例えば次の通りである。先ず、新規ファイルの作成指示に応じて、自動的にファイル名が与えられた空のファイルが作成され、該空のファイルに録音すべきデータ（オーディオデータやＭＩＤＩ演奏データなど）が書き込まれる。その後、ユーザは、データを書き込んだファイルのファイル名を自動付与された名前を、任意の別の名前に変更することができる。つまり、このような手順によれば、新規に作成されたファイルは、自動付与されたファイル名で一旦保存されることになる。
【０００４】
新規に作成されたファイルは電子音楽装置に備わる記憶媒体に保存される。記憶媒体に保存されたファイル群から特定のファイルを読み出すときには、当該フォルダに保存された全てのファイルを表示器にリスト表示して、該表示されたリストの中から所望のファイルをユーザに探し出させるのが一般的である。該リストにおいて各ファイルはファイル名順に整列（ソート）され、ユーザはファイルのソート順序（並び順）に従って目的のファイルを探し出すことができる。ファイルのソート順序は、ファイル名として使用可能な文字群（アルファベット文字、かな文字、漢字、数字、記号など）の順序関係を定義した所定のソートルールに従う。ソートルールは、例えば、アルファベット順、かな５０音順、数字の大小関係などに準拠して、ファイル名として使用可能な文字群の順序関係を定義するものである。
【０００５】
前記リスト表示においては、ファイル名が自動付与されたファイルも、ユーザがファイル名を付けたファイルも区別することなく、所定のソートルールに従うソート順序で整列される。また、ファイル名の自動付与機能は、ソート順序を考慮したファイル名作成を行うものではなかった。このため、装置内に保存されたファイルが大量になると、大量のファイル群の中に、新規に作成されたファイル（自動付与されたファイル名を持つファイル）が埋もれてしまい、新規に作成されたファイルがリスト中のどこに位置するのか判り難くなる場合があった。すなわち、従来の技術では、装置内に保存されたファイルが大量になると、新規に作成されたファイルを探し出すのが困難になるという不都合があった。
【発明の開示】
【発明が解決しようとする課題】
【０００６】
この発明は、上記の点に鑑みてなされたもので、多数のファイル又はフォルダのなかから、自動付与機能によって自動付与された名前を持つファイル又はフォルダを容易に識別できるようにしたファイル又はフォルダ管理装置を提供することを目的とする。
【課題を解決するための手段】
【０００７】
この発明に係るファイル又はフォルダ管理装置は、データ集合体を格納するためのファイルと、該ファイルを複数個まとめて保管するためのフォルダとをそれぞれ１又は複数記憶し、前記ファイル及び前記フォルダの各々には固有の名前が与えられている記憶手段と、前記ファイル及び前記フォルダの名前に使用可能な全ての文字の順序関係を定義したソートルールに従い、前記記憶手段に記憶されたファイル群又はフォルダ群を名前順でソートするソート手段と、前記記憶手段にファイル又はフォルダを新規に作成する作成手段と、前記作成手段により新規に作成したファイル又はフォルダに対して、前記ソートルールによって前記全ての文字の順序関係の先頭又は末尾に定義された文字を先頭に持つ名前を、自動的に付与する付与手段とを具えることを特徴とする。
【０００８】
これによれば、作成手段により、記憶手段にファイル又はフォルダを新規に作成し、付与手段により、新規作成したファイル又はフォルダに対して、ファイル及びフォルダの名前に使用可能な全ての文字の順序関係を定義したソートルールによって該全ての文字の順序関係の先頭又は末尾に定義された文字を先頭に持つ名前を自動的に付与する。よって、ソート手段によりファイル群又はフォルダ群を名前順でソートしたときには、前記新規作成したファイル又はフォルダはソート順序の先頭又は末尾に位置する。
【０００９】
また、この発明は、装置の発明として構成し、実施することができるのみならず、方法の発明として構成し実施することができる。また、本発明は、コンピュータまたはＤＳＰ等のプロセッサのプログラムの形態で実施することができるし、そのようなプログラムを記憶した記憶媒体の形態で実施することもできる。
【発明の効果】
【００１０】
この発明によれば、新規に作成したファイル又はフォルダに対して、ファイル及びフォルダの名前に使用可能な全ての文字の順序関係を定義したソートルールによって該全ての文字の順序関係の先頭又は末尾に定義された文字を先頭に持つ名前を自動的に付与することで、当該新規作成したファイル又はフォルダは、ファイル群又はフォルダ群を名前順でソートしたときにソート順序の先頭又は末尾に位置する。従って、付与手段によって自動付与されたファイル名を持つファイル又はフォルダは、ファイル群又はフォルダ群をソートしたときに、その他のファイル名群から明確に区別される。よって、記憶手段に大量のファイル又はフォルダが記憶されている場合であっても、該大量のファイル又はフォルダの中から新規作成されたファイル又はフォルダ、つまり付与手段によって自動付与されたファイル名を持つファイル又はフォルダを容易に探し出すことができるという優れた効果を奏する。
【発明を実施するための最良の形態】
【００１１】
以下、この発明の一実施例について図面を参照して詳細に説明する。
【００１２】
図１は、この発明の一実施例に係るファイル又はフォルダ管理装置を適用した電子音楽装置の電気的ハードウェア構成例を示すブロック図である。電子音楽装置としては、例えば、電子オルガンや、電子ピアノや、シンセサイザー等の電子楽器を適用することができる。
【００１３】
図１に示す通り、電子音楽装置は、ＣＰＵ１、ＲＯＭ２及びＲＡＭ３からなるマイクロコンピュータと、演奏入力（発音指示）操作を行うための演奏操作子４と、該演奏操作子４で行われた演奏入力操作を検出するための演奏検出回路５と、各種設定を行うための設定操作子６と、該設定操作子６の操作を検出するための操作検出回路７と、各種情報を表示するためのディスプレイ８と、該ディスプレイ８の表示を制御するための表示制御回路９と、記憶装置（記憶手段）１０と、楽音信号を電子的に生成する音源部１１と、音源部１１で生成した楽音信号を発音するためのサウンドシステム１２と、通信インターフェース１３とを含んで構成されており、各部はデータ及びアドレスバス１Ｂを介して相互に接続される。
【００１４】
ＣＰＵ１は、フラッシュメモリ２又はＲＡＭ３に記憶された制御プログラムを実行し、電子音楽装置の全体的な動作を制御する。この実施例において、後述する図３に示すファイル新規作成処理及び図５に示すファイルリスト表示処理は、ＣＰＵ１が実行するソフトウェアプログラムによって構成及び実施される。
【００１５】
演奏操作子４は、ユーザが演奏操作を行うための操作子であればどのようなタイプの操作子であってもよく、例えば、それぞれ楽音の音高が割り当てられた複数の鍵からなる鍵盤部を適用することができる。ユーザは、演奏操作子４を用いて演奏操作を行うことで、該演奏操作に応じた楽音をサウンドシステム１２から発音させること、或いは、該演奏操作の内容を１曲分の楽曲データのデータファイルとして記憶装置１０に記憶させることができる。設定操作子６は、電子音楽装置の本体パネル上に配置された各種設定を行うためのスイッチ群であって、音色等のパラメータや各種機能を選択するスイッチや、ディスプレイ８上のＧＵＩ部品を操作するための操作子等が含まれる。
【００１６】
ディスプレイ８は、電子音楽装置の本体パネル上に配置された液晶表示パネル（ＬＣＤ）によって構成される。ディスプレイ８には、各種制御画面が表示され、該各種制御画面上には、各種操作をユーザから受け付けるＧＵＩ部品（操作子画像など）や各種文字情報等が表示される。なお、ディスプレイ８に表示されたＧＵＩ部品の操作は、設定操作子６を用いて行うことができてよい。或いは、ディスプレイ８はユーザが画面上の表示に接触することで入力操作を行う機構を具えたタッチパネル式の表示器で構成されてもよい。このディスプレイ８は、詳しくは後述する通り、ファイル名リストを表示するために利用される。ここで、ディスプレイ８は、電子音楽装置の本体パネル上に配置されることから、その画面サイズを可及的小型化することが要求されること、つまり、情報を表示可能な領域が物理的に制約されていることに留意されたい。
【００１７】
記憶装置１０は、例えば、ハードディスク、ＦＤ（フレキシブルディスク又はフロッピーディスク（商標））、ＣＤ（コンパクトディスク）、ＤＶＤ（デジタル多目的ディスク）、フラッシュメモリなどの半導体メモリ等の従来から知られる適宜の記憶媒体とその駆動装置で構成される。該記憶媒体は、電子音楽装置の本体に対して着脱可能であってもよいし、電子音楽装置に内蔵されていてもよい。
【００１８】
記憶装置１０には、楽曲データを格納したデータファイルが複数曲分記憶される。１曲分の楽曲データは、例えばＭＩＤＩ演奏データ等適宜のフォーマットからなる演奏データの集合体である。ユーザは、記憶装置１０に記憶された複数のファイルをフォルダ（ディレクトリ）に適宜分類して保管することができる。フォルダは記憶装置１０内に複数個作成されうる。記憶装置１０内のファイル及びフォルダのそれぞれには、固有の名前が付与される。ファイル及びフォルダの名前は、ユーザが任意の文字列からなる名前を付けることもできるし、後述の自動付与機能によってシステムが自動的に所定の文字列からなる名前をつけることもできる。また、ファイルやフォルダの新規作成、保存場所の移動、コピー、或いは、削除等の操作をユーザが行うことができるのは、周知の通りである。
【００１９】
音源部１１は、楽音信号を生成する音源回路と該音源回路で生成した楽音信号に対して効果付与する効果付与回路を含んで構成され、ユーザが演奏操作子４を用いて行った演奏入力や、記憶装置１０に記憶された楽曲データのファイルのシーケンサ再生（自動演奏）によって発生する演奏データ（ＭＩＤＩ演奏データ）に基づき楽音信号を生成する。音源部１１が生成した楽音信号は、アンプ及びスピーカを含むサウンドシステム１２から発音される。
【００２０】
また、電子音楽装置には、外部機器との間でデータを通信するための通信インターフェース（通信Ｉ／Ｆ）１３が具備されてよい。通信Ｉ／Ｆ１３としては、外部のＭＩＤＩ機器とＭＩＤＩデータを通信するためのＭＩＤＩインターフェースなどの音楽専用有線Ｉ／Ｆ、ＵＳＢやＩＥＥＥ１３９４等の汎用近距離有線Ｉ／Ｆ、Ｅｔｈｅｒｎｅｔ（商標）などの汎用ネットワークＩ／Ｆ、或いは、無線ＬＡＮやＢｌｕｅｔｏｏｔｈ（商標）などの汎用近距離無線Ｉ／Ｆなどの１又は複数のインターフェースが登載されうる。電子音楽装置は、通信Ｉ／Ｆ１３を介して外部記憶装置（例えばＵＳＢメモリなど）を接続し、該接続された外部記憶装置にファイルを保存したり、該外部記憶装置に保存されたファイルを読み出したりすることもできる。
【００２１】
上記構成から成る電子音楽装置は、記憶装置１０に記憶するファイルが新規に作成されるときに、当該新規に作成されるファイルに対して、所定の文字列からなるファイル名を自動的に付与する機能を具備している。新規に作成されるファイルに対してファイル名を自動付与する機能自体は従来から知られている。詳しくは後述する通り、この発明は、自動付与機能によって自動付与されるファイル名の名づけ方に大きな特徴がある。なお、ファイルの新規作成処理の詳しい動作は、後述の図３の説明を参照されたい。
【００２２】
この実施例において、ファイル名自動付与機能により新規ファイルに自動付与されるファイル名は、図２（ａ）に示すように、先頭部分に所定記号「！」を持ち、これに所定の文字列「ｓｏｎｇ」が続き、末尾に３桁の数字列「ｎｎｎ」が付加された文字列により構成される。なお「ｎ」は正の整数を表す。ファイル名の先頭に付与された感嘆符記号「！」は、この実施例で適用する所定のソートルールによって、ファイル名として使用可能な全ての文字群の順序関係（昇順でのソート順序）の末尾に定義された文字である。従って、先頭部分「！」と、文字列「ｓｏｎｇ」と、３桁の数字列「ｎｎｎ」からなるファイル名は、前記所定のソートルールに従って複数のファイル名を昇順でソートしたときに、ソートされたファイル名の列の末尾に位置するものである。
【００２３】
図２（ｂ）は、この実施例で適用するソートルールを説明するための図であって、この実施例のソートルールに従って名前順にソートされた一群のファイル名であって、図２（ｂ）において、符号１４〜１７で示す各文字列がファイル名の一例であって、各ファイル名は昇順でソート（整列）されている。記憶装置１０内のファイル（又はフォルダ）を名前順でソート（整列）するソート機能は、ＣＰＵ１が実行する制御プログラムによって記憶装置１０を制御する機能の１つとして提供されており、ソート機能自体は従来から知られている。ソート機能の処理に使用するソートルールは、１つのフォルダ内のファイル群のファイル名を名前順にソート（整列）するために、ファイル名として使用可能な全ての文字（アルファベット文字、かな文字、漢字、数字、記号など）の順序関係を定義したルールである。電子音楽装置においては、例えばソートルールを記述したテーブルがＲＯＭ２に記憶され、該テーブルを参照して、当該ソートルールに従うソート処理が実行される。このソート機能が請求項１に記載のソート手段に相当する。なお、「昇順」とは、ソートルールによって上位に定義された文字から同下位に定義された文字の順にファイル名を並べることを指し、例えば、数字であれば小さい値（１）から大きい値の順に、また、かな文字であれば５０音順に、また、アルファベット文字であれば、ＡからＺの順に並べる順序のことである。逆に、下位に定義された文字から上位に定義された文字の順にファイル名を並べることを「降順」という。
【００２４】
この実施例のソートルールにおいて、図２（ｂ）に示す通り、ファイル名は、その先頭の文字によって、「第１群のグループ（符号１４ａ，１４ｂ）」、「第２群のグループ（符号１５ａ〜１５ｄ）」、「第３群のグループ（符号１６ａ〜１６ｄ）」及び「第４群のグループ（符号１７ａ〜１７ｃ）」の４つのグループに、説明の便宜上、大別される。第１群のグループがソート順序の上位グループで、以下、昇順に、第２群、第３群及び第４群のグループと続く。
【００２５】
「第１群」のグループには、所定の第１種の半角記号群に該当する記号で始まるファイル名１４ａ，１４ｂが分類されている。この実施例において、前記第１種の半角記号群には、半角のアンダースコア記号「＿」や半角スペース記号等が含まれるものとし、図２（ｂ）の例では、「＿ＳＳＳ」など半角アンダースコア記号「＿」で始まるファイル名が「第１群」のグループに該当する。また、「第２群」のグループには、例えば「ａｂｃ００１」，「ａｂｃ００２」等のように、半角英数文字で始まるファイル名が１５ａ〜１５ｄ分類される。また、「第３群」のグループには、例えば、「あいうえおかきくけこさしすせそ００１．ｍｉｄ」等のような全角文字で始まるファイル名１６ａ〜１６ｄが分類される。
【００２６】
「第４群」のグループは、昇順でのソート順序の最後部のグループであって、感嘆符記号「！」を含む第２の半角記号群がこのグループに分類される。感嘆符記号「！」は、「第４群」のグループの中でも昇順でのソート順序の末尾に定義された文字である。従って、感嘆符記号「！」を先頭に持つファイル名は、当該ソートルールに従って複数のファイル名を昇順でソートしたときに、ソートされたファイル名の列の末尾に位置することになる。なお、この実施例に適用するソートルールにおいて重要なことは、感嘆符記号「！」が昇順でのソート順序の末尾に定義されているという一点である。従って、この他のファイル名として使用可能な文字の順序関係については、例えば一般的なコンピュータに採用されている適宜の文字コードの定義に準拠して定めてよい。
【００２７】
従って、図２（ｂ）に示す通り、ファイル名自動付与機能によって自動付与されるファイル名（所定記号「！」と、文字列「ｓｏｎｇ」と３桁の数字列「ｎｎｎ」から構成されるファイル名）は、記憶装置１０のファイル群を名前順で昇順にソートしたときに、必ずファイル群の末尾（あるいは末尾付近）に位置することになる。つまり、ファイル名自動付与機能によって自動付与されたファイル名は、ソートされたときに、その位置によって他のファイル群から明確に区別される。従って、ユーザは、多数のファイル名の中から、新規に作成されたファイルに該当するファイル名を、容易に探し出すことができるようになる。
【００２８】
図２（ｂ）において、「第４群」のグループに該当するファイル名として、ファイル名自動付与機能により自動付与されたファイル名「！ｓｏｎｇ００１」、「！ｓｏｎｇ００２」及び「！ｓｏｎｇ００３」が例示されている。自動付与された各ファイル名１７ａ〜１７ｃは、先頭の感嘆符記号「！」と文字列部分「ｓｏｎｇ」は互いに共通しており、文字列部分「ｓｏｎｇ」により、これらファイルが楽曲データを格納したファイルであることをユーザに標示できる。そして、各ファイル名の末尾の３桁の数字列部分「００１」，「００２」及び「００３」により各ファイル名を識別できる。この数字列部分には、基本的には、前回作成されたファイルの数字列部分の数値（番号）の１を加算した連続番号が付与される。つまり、新規にファイルが作成される毎に、ファイル作成順に対応する連続番号を持つファイル名が当該新規ファイルに付与される。従って、昇順でソートしたときのファイル名の並び順を、ファイル名自動付与機能により自動付与されたファイル名１７ａ〜１７ｃに限って見てみると、一番最近に新規作成されたファイルのファイル名１７ｃが末尾に位置することになる。よって、新規に作成されたファイルは、基本的には、昇順でソートされたファイル名群中の末尾に追加されてゆくことになる。従って、ソートされたファイル群から一番最近に新規作成されたファイルを探し出すのが容易である。
【００２９】
なお、末尾に「３桁の数字列」を持つファイル名は自動付与されたファイル名に限らない。例えば、同一曲の別テイク（別バージョン）の各楽曲データファイルのファイル名に対して、このような「３桁の数字列」の番号付けをすることが多々ある。例えば、図２（ｂ）において、「abc001」なるファイル名１５ａと同一曲の演奏を別テイクで録音したときに、ユーザは、該別テイクの演奏を記録したファイルに「abc002」なるファイル名１５ｂを付けるだろう。この場合、先頭のアルファベット文字列部分（「abc」）は、多くの場合、曲名を示す語であり、末尾の番号部分によって個々のファイルの違いを区別できる。従って、このようなファイル名においては、先頭の文字列部分と末尾の数字列部分の二つの要素が、個々のファイルを識別するための主要な要素として機能する。また、図２（ｂ）において、ファイル名１６ａ〜１６ｄは、文字列の末尾に拡張子が付与されたファイル名の一例を示している。文字列の末尾に付与された拡張子によって当該ファイルの種類（ファイルフォーマット）を識別することができる。従って、ファイル名中の拡張子も、個々のファイルを識別する主要な要素として機能するだろう。
【００３０】
図３はファイル新規作成処理の手順の一例を示すフローチャートである。図３を参照して、新規ファイル作成のときに、ファイル名自動付与機能によってファイル名を自動付与する動作の一例について説明する。このファイル新規作成処理は、例えば、ユーザが演奏操作子４を用いて行うマニュアル演奏を録音するときに起動する。つまり、マニュアル演奏によって発生する演奏データを格納するために新規ファイルを作成する。録音開始指示は、例えば、電子音楽装置の本体パネル上の設定操作子６やディスプレイ８に表示されたＧＵＩオブジェクトを用いて行うことができてよい。なお、以下に述べる新規にファイルを作成する処理が開始する前に、新規にファイルを作成する先となる１つのフォルダが特定される。
【００３１】
ステップＳ１において、新規にファイルを作成するフォルダ内に、自動付与機能によって付与されたファイル名を持つファイルが存在するかどうかチェックする。この実施例において、自動付与機能によって付与されたファイル名は、前述の通り、感嘆符記号「！」と文字列「ｓｏｎｇ」と「３桁の数字列」とからなるファイル名である。当該フォルダ内に前記自動付与機能によって付与されたファイル名に該当するファイル名を有するファイルが存在しない場合は（ステップＳ１のＮＯ）、感嘆符記号「！」と、所定文字列「ｓｏｎｇ」と、３桁の数字列の初期値「００１」とからなるファイル名「！ｓｏｎｇ００１」を付与したファイルを新規に作成する（ステップＳ２）。
【００３２】
一方、当該フォルダ内に自動付与機能によって付与されたファイル名に該当するファイル名を有するファイルが既に存在する場合は（ステップＳ１のＹＥＳ）、既存の自動付与機能によって付与されたファイル名の「３桁の数字列」部分を全てチェックして、該「３桁の数字列部分」が限界値「９９９」に達しているものがあるかどうか調べる（ステップＳ３）。既存の「３桁の数字列部分」のうちで最大の値が「９９９」に達していなければ（ステップＳ３のＮＯ）、新規に作成するファイルに自動付与するファイル名の「３桁の数字列」部分には、既存の前記数字列部分の中で最大の番号（最後尾の番号）の数値に１を加算した値、つまり、該最大の番号に連続する番号を使用する（ステップＳ４）。これにより、フォルダ内の自動付与機能によって付与されたファイル名の数字列部分が「９９９」に達するまでは、「！ｓｏｎｇ００１」、「！ｓｏｎｇ００２」、「！ｓｏｎｇ００３」・・・という具合に、新規にファイルが作成される毎に、ファイル作成順に対応する連続番号を持つファイル名（「！ｓｏｎｇ“ｎｎｎ”」）が自動的に付与されることになる。
【００３３】
当該フォルダにおいて、自動付与機能によって付与されたファイル名の「３桁の数字列」が既に限界値「９９９」に達している場合（ステップＳ３のＹＥＳ）は、既存の「３桁の数字列」をチェックして、３桁の数字列の初期値「００１」〜限界値「９９９」のうちで未使用の番号（番号の空き）がないかどうか調べる（ステップＳ４）。未使用の番号（番号の空き）が発生するのは、自動付与されたファイル名をユーザが別のファイル名に変更したり、あるいは、当該ファイルを削除したりした場合である。未使用の番号があれば（ステップＳ６のＹＥＳ）、新規に作成するファイルに自動付与するファイル名の「３桁の数字列」部分には、該未使用の番号（空き番号）の値を使用する（ステップＳ７）。これにより、フォルダ内の自動付与機能によって付与されたファイル名の数字列部分が「９９９」に達した後でも、新規に作成されるファイルに対して文字列「！ｓｏｎｇ“ｎｎｎ”」からなるファイル名を付与することができる。なお、未使用の番号が複数あった場合には、その中で小さい番号から順に使用するものとする。
【００３４】
一方、既存の「３桁の数字列」に初期値「００１」〜限界値「９９９」の全てが使用されており、空きがない場合には（ステップＳ６のＮＯ）、新規作成ファイルに対してユニークなファイル名を自動付与することができないので、新規ファイルの作成をせずに処理を終了する。このとき、「新規ファイルを作成できない」旨をユーザに警告する表示をディスプレイ８に表示するとよい。
【００３５】
上記ステップＳ２又はＳ４又はＳ７により、前記図２（ａ）に示すような感嘆符記号「！」と、文字列「ｓｏｎｇ」と、３桁の数字列「ｎｎｎ」からなるファイル名を有するファイルが新規に作成される。なお、この時点では、新規に作成されたファイルにはデータが空である。ユーザは、この新規に作成されたファイルに対して任意の編集を行うことができる（ステップＳ８）。この実施例では、前記「任意の編集」は、ユーザが演奏操作子４を用いて行うマニュアル演奏を表すＭＩＤＩ演奏データを当該新規に作成したファイルに書き込む処理である。これにより、ユーザが演奏操作子４を用いて行うマニュアル演奏を表すＭＩＤＩ演奏データが１曲分の楽曲データとして、当該新規に作成されたファイルに格納される。かくして、記憶装置１０のフォルダに、文字列「！ｓｏｎｇ“ｎｎｎ”」からなるファイル名を持つデータファイルが新規に保存される。ここで説明したファイル新規作成処理が請求項１に記載の作成手段に相当し、また、ステップＳ２、Ｓ４及びＳ７の処理が請求項１に記載の付与手段に相当する。
【００３６】
なお、上記ファイル新規作成処理によって新規作成されたファイル名、つまり自動付与されたファイル名は、記憶装置１０に保存された後、ユーザが別の名前に変更することができる。名前変更後は該変更されたファイル名に基づきソートされる。なお、ユーザがファイル名を付けるときには、所定文字「！」をファイル名の先頭に使用できないよう構成するとよい。これにより、ユーザが付けたファイル名と自動付与されたファイル名との混乱を避けることができる。
【００３７】
電子音楽装置において、記憶装置１０に保存された楽曲データのデータファイルを再生するときや、データファイルのファイル名を変更するとき、或いは、データファイルの再編集、コピー或いは削除等の操作を行うときには、ユーザは記憶装置１０の複数のファイルのいずれかに保存された多数のデータファイル群の中から特定の１つのファイルを探し出さなければならない。
【００３８】
この電子音楽装置において、記憶装置１０に保存されたファイル群から所望のファイルを探し出すときには、該記憶装置１０に保存されたファイル群のうちのいずれか１つに格納された複数のファイル名を一覧表示したファイル名リストをディスプレイ８に表示させて、該リストに表示されたファイル名の中から所望のファイルを探し出すことができる。図４（ａ）は、ファイル名リストの表示例を示す図であって、このファイル名リストには前記図２（ｂ）に例示したファイル名が表示されている。図４（ａ）において、ファイル名１６ａ〜１６ｄは、ファイル名を構成する文字列の一部が省略された形態で表示されている。これは、ファイル名１６ａ〜１６ｄが長すぎてディスプレイ８の表示領域内にファイル名全体を表示することができないためである。以下に詳しく述べる通り、この実施例に係るファイル名リストは、ファイル名を構成する文字列の一部を省略表示する際の省略の仕方に特徴がある。
【００３９】
図５は、ファイル名リスト表示処理の手順の一例を示すフローチャートである。ファイル名リスト表示処理は、記憶装置１０に設定された複数のフォルダのいずれか１つについて行われる。従って、ユーザは、記憶装置１０に設定された複数のフォルダからファイル名リスト表示の対象となるフォルダ（ディレクトリ）を指定する（ステップＳ１０）。例えば、記憶装置１０に設定された複数のフォルダからいずれか１つを選択するための選択肢（フォルダのアイコンなど）をディスプレイ８に一覧表示し、該選択肢から所望の１つのフォルダをユーザに指定させることで、ファイル名リスト表示の対象となるフォルダを指定する動作を実現してよい。ユーザによって、ファイル名リスト表示の対象となるフォルダが指定されると、該指定されたフォルダに格納された全てのファイル名のリストが取得される（ステップＳ１１）。以下に述べるステップＳ１３〜Ｓ１９の処理を行うことで、当該ファイル名リストにおける前記取得したリスト中の全てのファイル名の表示形態を決定する。ステップＳ１２の処理は、該取得したリスト中の全てのファイル名の１ずつについて、ステップＳ１３〜Ｓ１９の処理を行うための判断処理である。
【００４０】
まず、ステップＳ１３では、ファイル名を表示するのに必要な表示幅ＷＦを算出する処理を行う。ファイル名の表示幅（ドット数）ＷＦは、当該ファイル名を構成する全ての文字列をディスプレイ８に表示するときに必要な表示領域の幅である。この実施例では、ディスプレイ８の文字表示において、全角文字の表示には等幅フォント（文字ごとの横幅が固定されたフォント）を使用し、半角文字の表示にはプロポーショナルフォント（文字ごとに最適な横幅が設定されたフォント）を使用するものとする。従って、ファイル名表示幅ＷＦは、当該ファイル名を構成する文字列の文字数と、各文字の種類に基づき決定される。
【００４１】
ステップＳ１４において、前記ステップＳ１３で算出したファイル名の表示幅ＷＦと、ディスプレイ８におけるファイル名表示可能幅（ドット数）ＷＤを比較する。ファイル名表示可能幅ＷＤは、ディスプレイ８に表示するファイル名リストにおいて、１つのファイル名を表示することが可能な幅である（図４（ａ）を参照）。既に述べた通り、ディスプレイ８が電子音楽装置の本体パネル上に配置される都合上、ディスプレイ８の画面サイズは比較的狭い幅に制約されてしまう。従って、このディスプレイ８に表示されるファイル名リストのファイル名表示可能幅ＷＤもまた比較的狭い幅に制約されざるをえない。このため、ファイル名の表示幅ＷＦがファイル名表示可能幅ＷＤよりも大きくなってしまう場合がある。図４（ｂ）において、前記図２（ｂ）に例示したファイル名１５ｄ、ファイル名１６ａ及びファイル名１６ｃの各表示幅ＷＦと、ディスプレイ８の表示可能幅ＷＤの比較を示す。図４（ｂ）から明らかな通り、ファイル名１６ａ及びファイル名１６ｃのように長いファイル名は、その表示幅ＷＦがディスプレイ８の表示可能幅ＷＤを上回ってしまう。
【００４２】
ファイル名の表示幅ＷＦがディスプレイ８の表示可能幅ＷＤよりも大きい場合には（ステップＳ１５のＹＥＳ）、ステップＳ１６以下の処理により、ファイル名の表示形態を変更する処理を行う。ここで、ファイル名の表示形態の変更とは、ファイル名を構成する文字列の一部を、以下に述べる所定のルールに従って省略することにより、ファイル名の表示幅ＷＦをディスプレイ８の表示可能幅ＷＤに収まる幅に縮小することである。この実施例において、ファイル名を構成する文字列の一部を省略するためのルールとは、ファイル名の先頭部分と、次に述べる「特定の文字列」部分と、拡張子部分とを残し、その他の部分を省略することである。電子音楽装置においては、例えば、ファイル名を構成する文字列の一部を省略するためのルールを記述したテーブルがＲＯＭ２乃至ＲＡＭ３に用意され、該テーブルを参照して、当該ルールに従って、ステップＳ１６以下の処理（ファイル名の表示形態を変更する処理）が実行される。
【００４３】
なお、図４（ｂ）に示すファイル名１５ｄのように、ファイル名表示幅ＷＦがディスプレイ８のファイル名表示可能幅ＷＤ以下であれば（ステップＳ１５のＮＯ）、当該ファイル名の名前全体をファイル名リスト上に表示することができるので、以下に述べるファイル名の表示形態の変更処理は不要である。
【００４４】
ファイル名の表示幅ＷＦがディスプレイ８の表示可能幅ＷＤよりも大きい場合には、ステップＳ１６において、当該ファイル名を構成する文字列から、特定の文字列を検出する処理を行う。ここで、検出対象となる特定の文字列とは、個々のファイルを識別するために必要な情報として予め定められた文字列であって、この実施例では「３桁の数字列」がこれに該当するものとする。「３桁の数字列」は、個々のファイルを識別するための重要な要素として機能することが多いことは、既に述べた通りである。
【００４５】
例えば、前記図４（ｂ）に示した「あいうえおかきくけこさしすせそ001.mid」なるファイル名１６ａは、表示幅ＷＦがディスプレイ８の表示可能幅ＷＤよりも大きく、また、特定の文字列（この実施例では「３桁の数字列」）を含むファイル名である（ステップＳ１７のＹＥＳ）。このようなファイル名については、ファイル名の先頭部分と、特定の文字列（３桁の数字列「001」）と、拡張子部分「.mid」とを残して、その表示幅ＷＦがディスプレイ８の表示可能幅ＷＤ以内に収まるようファイル名の表示形態を変更する（図５のステップＳ１８）。具体的には、３桁の数字列の直前（左横）の幾つかの文字列を省略記号（三点リーダー「…」）に置換することで、図４（ａ）に示す「あいうえ…001.mid」のように、ファイル名を省略表示する。なお、ファイル名の先頭部として残す文字範囲（文字数）、言い換えれば、省略記号に置換する文字範囲は、特定の文字列「001」及び拡張子部分「.mid」部分の表示に必要な幅とディスプレイ８の表示可能幅ＷＤとに応じて定まる。
【００４６】
また、前記図４（ｂ）に例示した「いろはにほへとちりぬるをわかＡＢＣ.mid」なるファイル名１６ｃは、表示幅ＷＦがディスプレイ８の表示可能幅ＷＤよりも大きいファイル名であり、これには特定の文字列（「３桁の数字列」）が含まれていない（ステップＳ１７のＮＯ）。このようなファイル名については、ファイル名の先頭部分と、拡張子「.mid」を残して、表示幅ＷＦがディスプレイ８の表示可能幅ＷＤ以内に収まるようファイル名の表示形態を変更する（図５のステップＳ１９）。具体的には、拡張子「.mid」の直前の幾つかの文字列（左横の文字列）を省略記号に置換することで、図４（ａ）に示す「いろはにほ….mid」のように、ファイル名を省略表示する。
【００４７】
上記ステップＳ１３〜Ｓ１９の処理を、指定されたフォルダに含まれる全てのファイル名について行うことで、該全てのファイル名についてリスト表示におけるファイル名の表示形態を決定する。そして、ステップＳ２０において、当該フォルダに含まれる全てのファイルをファイル名順にソートしたファイル名リストがディスプレイ８に表示される。ユーザは、ディスプレイ８に表示されるファイル名リストのソートの方向を昇順又は降順のいずれかで選択することができてよい。前記ステップＳ２０によりディスプレイ８に表示されるファイル名リストの一例は、図４（ａ）に示した通りである。図４（ａ）において、ファイル名の表示幅ＷＦがディスプレイ８の表示可能幅ＷＤよりも大きいファイル名１６ａ〜１６ｄ名は、上記Ｓ１３〜Ｓ１９の処理により適切にファイル名を構成する文字列の一部が省略されている。すなわち、ファイル名１６ａ，１６ｂ及び１６ｄは、ファイル名の先頭部分と、特定の文字列（３桁の数字列）と、拡張子部分「.mid」を残して、それ以外の部分が省略されている。また、ファイル名１６ｃは、ファイル名の先頭部分と拡張子部分「.mid」を残して、それ以外の部分が省略されている。一方、ファイル名１５ｄや、ファイル名１７ａ〜１７ｃのように、ファイル名表示幅ＷＦがディスプレイ８の表示可能幅ＷＤ以内のファイル名はファイル名の全体が表示される。なお、ファイル名の表示幅ＷＦがディスプレイ８の表示可能幅ＷＤよりも大きいものの、特定の文字列（３桁の数字列）も拡張子もファイル名に含まれていない場合には、ファイル名の先頭部分のみを残す省略表示など、従来から知られる適宜の表示形態を適用してよい。
【００４８】
例えば、ファイル名１６ａとファイル名１６ｂは、先頭部分に共通のかな文字列を持ち、それに続く数字列部分でそれぞれのファイル名が識別されるよう命名されている。これは、既に述べた通り、同一曲の別バージョンの録音を記録したファイルに対する名前付けに多々見られる命名パターンであり、この場合、先頭のかな文字部分と末尾の数字列部分の二つの要素が、個々のファイルを識別するための主要な要素として機能する。よって、図４（ａ）に示す通り、ファイル名リスト上で、ファイル名１６ａ，１６ｂの先頭部分と、特定の文字列（３桁の数字列）と、拡張子部分「.mid」を残して、その他の部分を省略した形態でファイル名を表示することで、ユーザは、リスト上のファイル名が文字列の一部を省略された形態で表示されていても、個々のファイルを確実に識別することができる。
【００４９】
また、既に述べた通り、この実施例において適用するソートルールによれば、感嘆符記号「！」はファイル名として使用可能な全ての文字の順序関係（昇順でのソート順序）の末尾に定義された記号である。従って、新規作成ファイルに対して自動付与されるファイル名、つまり感嘆符記号「！」を先頭に持つファイル名１７ａ〜１７ｃは、ファイル名リストの末尾に位置しており、ファイル名リスト上でその他のファイル名群から明確に区別されている。更に、感嘆符記号「！」を先頭に持つファイル名のうちでも、末尾の「三桁の数字列」部分の番号が大きいものがリスト最後尾に位置する。従って、基本的には、最新の新規作成ファイルがリストの一番下（若しくは一番下の付近）に位置することになる。よって、ユーザは、ファイル名リストから、新規に作成されたファイルを容易に探し出すことができる。
【００５０】
以上説明した通り、この実施例によれば、新規にファイルを作成するときに、ソートルールによってファイル名として使用可能な全ての文字の順序関係（昇順でのソート順序）の末尾に定義された文字を先頭に持つファイル名を自動的に付与することで、記憶装置１０に保存されたファイル群をファイル名の昇順でソートしたときに、新規作成されたファイルは必ずファイル群の末尾（あるいは末尾付近）に位置することになる。つまり、ファイル群をソートしたときに、自動付与されたファイル名はその他のファイル名群から明確に区別される。このようなファイル名を新規作成されたファイルに自動付与することで、記憶装置１０内に大量のファイルが保存されている場合であっても、該大量のファイルの中から新規作成されたファイル、つまり自動付与機能によって自動付与された名前を持つファイルを容易に探し出すことができるという優れた効果を奏する。
【００５１】
また、この実施例によれば、あるフォルダに格納されたファイル群のファイル名リストをディスプレイ８に表示させるときに、ファイル名の表示幅ＷＦがディスプレイ８の表示可能領域ＷＤよりも大きく、当該ファイル名中に特定の文字列（３桁の数字列）が含まれている場合には、特定の文字列（３桁の数字列）と、当該ファイル名の先頭部分と、拡張子部分とを残して他の部分を省略した表示形態で該文字列をリストに表示させているので、ファイル名を構成する文字列の一部が省略表示されていても、ユーザはリスト上の文字列に基づき個々のデータアイテムを確実に識別することができるという優れた効果を奏する。
【００５２】
なお、上記実施例においては、ファイル名自動付与機能によってファイル名の先頭に付与する所定記号「！」を、ファイル名として使用可能な全ての文字の順序関係（昇順でのソート順序）の末尾に定義された所定文字として想定した。従って、所定記号「！」は、降順でのソート順序においては、ファイル名として使用可能な全ての文字の順序関係の先頭に定義された記号ともいえる。すなわち、記憶装置１０に保存されたファイル群をファイル名の降順でソートしたときには、新規作成されたファイルは必ずファイル群の先頭（あるいは先頭付近）に位置する。この場合も、自動付与されたファイル名は、その他のファイル名群から明確に区別されるため、新規作成されたファイル、つまり自動付与機能によって自動付与された名前を持つファイルを容易に探し出すことができるという効果を得ることができる。
【００５３】
また、上記実施例においては、ファイル名として使用可能な全ての文字の順序関係（昇順でのソート順序）の末尾に定義された所定文字として、感嘆符記号「！」を想定した例を示したが、ファイル名の先頭に付与される文字、つまり、ファイル名として使用可能な全ての文字の順序関係（昇順でのソート順序）の末尾に定義された文字はファイルシステムに適用されたソートルールに応じて異なる。また、ファイル名の先頭に付与される文字は、昇順でのソート順序の末尾（従って、降順でのソート順序の先頭）に定義された文字に限らず、昇順でのソート順序の先頭（従って、降順でのソート順序の末尾）に定義された文字を採用してもよく、また、昇順でのソート順序の末尾又は先頭のいずれの文字をファイル名の先頭に付与される文字に採用するかをユーザが任意に選択できてもよい。
【００５４】
また、上記実施例において、新規ファイル作成時にファイル名自動付与機能が動作する例について説明したが、これに限らず、記憶装置１０内に保存されているファイルのコピーにより、コピー先のファイルが新規に作成されるときにも、本発明を適用して、新規に作成されるコピー先ファイルに対して、「所定文字（上記実施例では感嘆符記号「！」）」を先頭に持つファイル名を自動付与することができる。この場合に自動付与されるファイル名の構成について、以下に具体的な例を幾つか挙げると、例えば、コピー元のファイル名が「abc002」とすると、コピー元ファイル名「abc002」の先頭に「所定文字（感嘆符記号「！」）」を付与し、且つ、コピー元ファイル名の末尾番号「００２」を、これに連続した番号に変更した名前「！abc003」を、新規に作成されるコピー先ファイルのファイル名に採用することができる。また、別の例としては、コピー元のファイル名「abc002」の先頭に「所定文字（感嘆符記号「！」）」を付与し、且つ、末尾にハイフン記号を介して新たに「３桁の数字列」を付与した名前「！abc002-001」を、新規に作成されるコピー先ファイルのファイル名に採用することができる。いずれにせよ、ファイル名の先頭に「所定文字」を配することで、新規作成されたファイルをソート順序の末尾又は先頭に位置させることができ、且つ、コピー元のファイル名を新規ファイルの名前に残すことで、コピー元とコピー先の関係をファイル名によって識別できる。
また、新規にファイルを作成（新たなデータをファイルに記録）するときと、既存のファイルをコピーするときとで、自動付与されるファイル名の先頭に付与される所定文字を違えるようにしてもよい。
【００５５】
また、上記実施例においては、新規にファイルを作成するときに、当該新規作成されるファイルにファイル名を自動付与する場合について説明したが、これに限らず、新規にフォルダを作成するときに、当該新規作成されるフォルダにフォルダ名を自動付与する場合に本発明を適用してもよい。
【００５６】
また、本発明に係るファイル名自動付与機能によってファイル名を付与する対象は、ＭＩＤＩ演奏データを格納するデータファイルに限らず、オーディオデータなど、その他のフォーマットの楽曲データを格納するデータファイルであってもよい。また、楽曲データに限らず、その他何らかのデータ集合体を格納するデータファイル、また、そのデータファイルを保管するフォルダを作成するときに、本発明を適用して、ファイル又はフォルダの名前を自動付与することもできる。
【００５７】
また、上記図５のステップＳ１６において「３桁の数字列」をファイル名中の特定の文字列部分として検出する例を示したが、ここで検出対象となる特定の文字列としては、「３桁の数字列」に限らず、個々のファイルを識別可能な文字列を適宜に採用することができる。例えば、特定の意味を持つ語や、楽曲データファイルの再生にて適したＭＩＤＩ音源フォーマットを表すアルファベット文字列（例えば。ＧＭ規格を表す「ＧＭ」やＸＧ規格を表す「ＸＧ」など）等を、検出対象の「特定の文字列」に採用することができる。また、「特定の文字列」をユーザが任意に設定できてもよく、この場合、ユーザが任意の文字列を指定できてもよいし、複数の候補のうちから「特定の文字列」を選択できてもよい。また、上記実施例では検出対象の「特定の文字列」は、「３桁の数字列」の１つだけであったが、複数の「特定の文字列」を検出対象に設定できてもよい。
【００５８】
また、上記実施例では、ファイル名を構成する文字列の一部を省略するためのルールは、ファイル名の「先頭部分」と、「特定の文字列」部分と、拡張子部分とを残し、その他の部分を省略するものとしたが、ファイル名を構成する文字列の一部を省略するためのルールは少なくとも「特定の文字列」部分を残し、その他の部分を省略するルールであればよい。
【００５９】
また、上記図５のステップＳ１８においては、特定の文字列（３桁の数字列「001」）」の直前（左横）の文字列の表示を省略するよう処理していたが、これは、該３桁の数字列の後（右横）に拡張子が位置していた、つまり、該３桁の数字列の後（右横）の文字列は省略せずに残す文字列部分が位置していたためである。ところで、省略表示の際に残すべき特定の文字列（上記実施例では「３桁の数字列」）が挿入されるファイル名中の位置は、拡張子の直前に限らず、ファイル名の先頭に位置していたり、特定の文字列の前後両方に他の文字列が位置したりしている場合もある。従って、そのような場合には、上記図５のステップＳ１８においては、該特定の文字列の後の文字列乃至同前後両方の文字列の表示が省略されることになる。
【００６０】
また、上記実施例においては、ファイル名リストは、楽曲データ（ＭＩＤＩ演奏データ）のファイルを一覧表示するリストであったが、これに限らず、オーディオデータなど、その他のフォーマットの楽曲データのリストであってもよいし、また、楽曲データに限らず、電子楽器の自動伴奏機能に用いる伴奏スタイルデータや、電子楽器で発音する楽音の音色を表す音色データや、動画再生用の動画データファイルなど、何らかのデータアイテムのリストであれば、上述と同様に、必要に応じて、ファイル名を構成する文字列の一部を省略した形態でファイル名を表示することができる。
【００６１】
また、本発明を適用する電子音楽装置は、データファイルを記憶装置に保存する機構を有するものであれば、従来から知られるどのようなタイプの電子楽器であってもよい、また、電子的に演奏を行う電子楽器に限らず、記憶装置に保存されたオーディオファイルを再生する音楽再生装置や、音楽演奏乃至音楽再生の機能を備えた情報処理装置（パーソナルコンピュータなど）に、本発明を適用してもよい。
【図面の簡単な説明】
【００６２】
【図１】この発明の一実施例に係るファイル又はフォルダ管理装置を適用した電子音楽装置の電気的ハードウェア構成を示すブロック図。
【図２】（ａ）は図１の電子音楽装置において自動付与されるファイル名の構成を説明するための図、（ｂ）は図１の電子音楽装置において適用するソートルールを説明するための図。
【図３】図１の電子音楽装置において実行されるファイル新規作成処理の手順の一例を示すフローチャート。
【図４】（ａ）は図１の電子音楽装置においてディスプレイに表示されるファイル名リストの表示例を示す図、（ｂ）は前記ファイル名リストを表示するディスプレイの表示可能領域ＷＤとファイル名の表示幅ＷＦの比較例。
【図５】図１の電子音楽装置において実行されるファイル名リスト表示処理の手順の一例を示すフローチャート。
【符号の説明】
【００６３】
１  ＣＰＵ、２  ＲＯＭ、３  ＲＡＭ、４  演奏操作子、５  演奏検出回路、６  設定操作子、７  操作検出回路、８  ディスプレイ、９  表示制御回路、１０  記憶装置、１１  音源部、１２  サウンドシステム、１３  通信インターフェース、１４ａ，１４ｂ，１５ａ〜１５ｄ，１６ａ〜１６ｄ，１７ａ〜１７ｃ  ファイル名
【図１】
2008293086.tif 000003
【図２】
2008293086.tif 000004
【図３】
2008293086.tif 000005
【図４】
2008293086.tif 000006
【図５】
2008293086.tif 000007